(57)【特許請求の範囲】
【請求項１】
１個或いは複数の素材動画を保存し、各前記素材動画が少なくとも１つの埋め込んだフラグメントを包括し、前記埋め込まれたフラグメントが連続し且つ同じ局部画面を有する複数のフレーム画面を包括する動画データベースと、少なくとも１つの立体オブジェクトモデルを保存するオブジェクトデータベースと、各々前記少なくとも１つの立体オブジェクトモデルを各前記素材動画の前記フレーム画面の前記局部画面上に重ね合わせることで、少なくとも１つの合成動画を形成する画像処理モジュールと、を含む動画サーバーと、
ネットワークインターフェースと再生インターフェースとを包括する端末装置を経由してローティングされ、前記ネットワークインターフェースを経由して前記動画サーバーに接続して前記少なくとも１つの合成動画を取得するネットワーク通信モジュールと、前記再生インターフェースを経由して取得した前記少なくとも１つの合成動画を再生するマルチメディア再生モジュールと、を含むコンピュータプログラム製品と、を包括し、
前記コンピュータプログラム製品は、マンマシンインターフェースモジュールを更に含み、
前記端末装置がマンマシンインターフェースを更に含み、
前記マンマシンインターフェースモジュールが前記マンマシンインターフェースを通じて操作画面を表示し、
前記操作画面が前記少なくとも１つの立体オブジェクトモデルに対応するオブジェクトオプションを包括し、
前記マンマシンインターフェースモジュールが前記オブジェクトオプションのトリガに応答して１つの操作画面に複数の動画オプションを表示し、
各前記動画オプションは各々トリガされた該オブジェクトオプションに対応する前記立体オブジェクトモデルを有する前記合成動画と関連し、
ユーザが１つの操作画面上の異なった前記動画オプションを選択することによって、動画のストーリーを異なる方向に進展させることが可能であることを特徴とする、
オブジェクトの入れ替可能な動画再生システム。
【請求項２】
再生される前記合成動画内に複数の前記埋め込んだフラグメントがあり、各前記埋め込んだフラグメント内に異なる前記立体オブジェクトモデルがあり、前記合成動画の再生を終えた後、前記マンマシンインターフェースモジュールは前記マンマシンインターフェースを通じて操作画面を表示し、前記操作画面が前記合成動画内で表示する複数の前記立体オブジェクトモデルに対応する複数のオブジェクトオプションを有することを特徴とする請求項１に記載のオブジェクトの入れ替可能な動画再生システム。
【請求項３】
前記コンピュータプログラム製品は、ウェブページ閲覧モジュールを更に含み、前記端末装置がマンマシンインターフェースを更に含み、前記合成動画の再生を終えた後、前記マンマシンインターフェースモジュールが該マンマシンインターフェースを通じて操作画面を表示し、前記操作画面が少なくとも１つの購買オプションを包括し、前記少なくとも１つの購買オプションが前記合成動画内で表示する前記少なくとも１つの立体オブジェクトモデルに対応し、該ネットワーク通信モジュールが前記少なくとも１つの購買オプションのトリガに応答して前記ネットワークインターフェースを経由してショッピングサーバーにリンクし、前記ショッピングサーバーが前記ネットワークインターフェースを経由してショッピングウェブページを前記ウェブページ閲覧モジュールに提供し、前記ショッピングウェブページが該立体オブジェクトモデルに対応する商品を包括することを特徴とする請求項１に記載のオブジェクトの入れ替可能な動画再生システム。
【請求項４】
会員管理サーバーを更に含み、前記ショッピングサーバーは取引結果を前記会員管理サーバーに伝送し、前記会員管理サーバーが前記取引結果によって電子クーポンを前記端末装置に送信し、前記電子クーポンのタイプが前記ショッピングウェブページの取引完了の有無と関連することを特徴とする請求項３に記載のオブジェクトの入れ替可能な動画再生システム。
【請求項５】
前記コンピュータプログラム製品は、値引き表示モジュールを更に含み、前記マンマシンインターフェースを通じて前記電子クーポンを表示することを特徴とする請求項４に記載のオブジェクトの入れ替可能な動画再生システム。
【請求項６】
前記動画サーバーは、前記端末装置で前記合成動画を再生した再生数量を記録し、前記再生数量が閾値に達した時、電子クーポンを前記端末装置に送信することを特徴とする請求項１に記載のオブジェクトの入れ替可能な動画再生システム。
【請求項７】
前記動画サーバーは、パラメータデータベースを更に含み、前記パラメータデータベースが各前記立体オブジェクトモデルの各該素材動画に対応する各前記埋め込んだフラグメントの複数の重ね合わせパラメータを包括し、前記重ね合わせパラメータが光や影の方向と放置位置と放置角度とサイズの拡大・縮小とを含むことを特徴とする請求項１に記載のオブジェクトの入れ替可能な動画再生システム。
【発明の詳細な説明】
【技術分野】
【０００１】
本発明は、動画再生システムに関し、特に、オブジェクトの入れ替可能な動画再生システムに関する。
【背景技術】
【０００２】
現代の視聴覚産業の盛行に伴い、映画やテレビドラマからテレビ番組においていずれもプロダクトプレイスメント商品が見られ、しかしながら動画を撮影し終わった後、業者との提携関係が終了、或いは動画を海外地域にライセンスする時、動画の再撮影が難しく、往々にして露出した商品にモザイクをかけることで、画面全体を壊していた。
【発明の概要】
【発明が解決しようとする課題】
【０００３】
これに鑑み、どのようにして動画内に埋め込まれている商品を便利に入れ替えるかが、視聴覚産業の大きな課題となっていた。
【課題を解決するための手段】
【０００４】
本発明の一実施例では、動画サーバーとコンピュータプログラム製品とを包括するオブジェクトの入れ替可能な動画再生システムを提供する。動画サーバーは、動画データベースとオブジェクトデータベースと画像処理モジュールとを含む。動画データベースは、１個或いは複数の素材動画を保存し、各素材動画が少なくとも１つの埋め込んだフラグメントを包括し、埋め込まれたフラグメントが連続し且つ同じ局部画面を有する複数のフレーム画面を包括する。オブジェクトデータベースは、少なくとも１つの立体オブジェクトモデルを保存する。画像処理モジュールは、各々少なくとも１つの立体オブジェクトモデルを各素材動画のフレーム画面の局部画面上に重ね合わせることで、少なくとも１つの合成動画を形成する。コンピュータプログラム製品は、端末装置を経由してローティングされ、端末装置がネットワークインターフェースと再生インターフェースとを含む。コンピュータプログラム製品は、ネットワーク通信モジュールとマルチメディア再生モジュールとを含む。ネットワーク通信モジュールは、ネットワークインターフェースを経由して動画サーバーに接続して合成動画を取得する。マルチメディア再生モジュールは、再生インターフェースを経由して取得した合成動画を再生する。
【発明の効果】
【０００５】
上記実施例の動画再生システムを通じて合成動画内の立体オブジェクトモデルを入れ替え、削除又は追加でき、動画の再撮影或いは画面にモザイクをかける必要がない。
【図面の簡単な説明】
【０００６】
【図１】本発明の実施例１に係るオブジェクトの入れ替可能な動画再生システムの構成を示す模式図である。
【図２】本発明の実施例１に係る動画サーバーのブロック図である。
【図３】本発明の一実施例に係る素材動画を示す模式図である。
【図４】本発明の一実施例に係る合成動画を示す模式図である。
【図５】本発明の実施例１に係るコンピュータプログラム製品のブロック図である。
【図６】本発明の実施例１に係る端末装置のブロック図である。
【図７】本発明の実施例２に係るオブジェクトの入れ替可能な動画再生システムの構成を示す模式図である。
【図８】本発明の実施例２に係るコンピュータプログラム製品のブロック図である。
【図９】本発明の実施例２に係る端末装置のブロック図である。
【図１０】本発明の実施例２に係る操作画面を示す模式図（一）である。
【図１１】本発明の実施例２に係る操作画面を示す模式図（二）である。
【図１２】本発明の実施例２に係る動画サーバーのブロック図である。
【発明を実施するための形態】
【０００７】
図１は本発明の実施例１に係るオブジェクトの入れ替可能な動画再生システム（以下、「動画再生システム」という）の構成を示す模式図である。
動画再生システムは、動画サーバー１１０と、端末装置２００からローティングされるコンピュータプログラム製品３００とを含む。端末装置２００は、スマートフォン、タブレットコンピュータ、ノートブック型コンピュータ、デスクトップ型コンピュータ等（例えば、スマートフォン）とすることができ、プロセッサ（例えば、システムチップ、ＣＰＵ、グラフィックスプロセッサ等）と、記録媒体（例えば、ハードディスク、フラッシュメモリ）と、揮発性メモリ（例えばダイナミックランダムアクセスメモリ、ＤＲＡＭ）と、通信モジュール（例えばネットワークインターフェースカード、無線ネットワークモジュール、モバイル通信モジュール等）と、周辺ハードウェア（例えばスピーカ、スクリーン、タッチモジュール）等と、を含む。
通信モジュールは、インターネット１１５に接続できる。コンピュータプログラム製品３００は、アプリケーションプログラムサーバー（図示せず）に保存して端末装置２００が通信モジュールでインターネット１１５を経由してアプリケーションプログラムサーバーに接続してダウンロードさせるために供する。端末装置２００の記録媒体は、コンピュータプログラム製品３００を保存して、プロセッサでローティングして実行するために供することができる。端末装置２００の通信モジュールもインターネット１１５を通じて動画サーバー１１０と接続できる。後に更に詳細に説明する。
【０００８】
図２は、本発明の実施例１に係る動画サーバー１１０のブロック図である。動画サーバー１１０は、動画データベース１１１とオブジェクトデータベース１１２と画像処理モジュール１１３とを含む。図２及び図３を合わせて参照する。図３は、本発明の一実施例に係る素材動画を示す模式図である。
動画データベース１１１は、１個或いは複数の素材動画４００を保存できる。各素材動画４００は、少なくとも１つの埋め込まれたフラグメント４１０を包括する。埋め込んだフラグメント４１０は、連続し且つ同じ局部画面４１３を有する複数のフレーム画面４１１を包括する。言い換えると、素材動画４００は、複数のフレーム画面（４１１、４１２）からなり、一部の連続フレーム画面４１１が埋め込んだフラグメント４１０と定義し、同じ局部画面４１３を包括する。ここで、局部画面４１３は画面の右下領域に位置することを例としているが、本発明の実施例は、この領域範囲及び位置に限られるものではない。
本実施例において、局部画面４１３は、テーブル面を例とする。またフレーム画面４１１内において、局部画面４１３を除いた他の領域が動的な変化を有することができ、例えば本実施例ではお化けが画面の左上から画面の右上に移動する。ただし本発明の実施例は、動画の内容を制限することはなく、またフレーム画面４１１内の局部画面４１３を除いた他の領域も同じであることで変化しないこともできる。つまりフレーム画面４１１全体が空景で、変化はない。ここで、図面をより一層明確にするため、埋め込んだフラグメント４１０内に５個のフレーム画面４１１のみを例示したが、埋め込んだフラグメント４１０内のフレーム画面４１１の数量がこれに限られるものではないことは、属する技術分野で通常の知識を有する者にとって明白であろう。
【０００９】
図４は、本発明の一実施例に係る合成動画４３０を示す模式図である。図２及び図４を合わせて参照する。オブジェクトデータベース１１２は、少なくとも１つの立体オブジェクトモデル５００を保存する。ここで、４種類の立体オブジェクトモデル（５１０、５２０、５３０及び５４０）を例とする。立体オブジェクトモデル５１０は、コップの形であり、立体オブジェクトモデル５２０が衣類の形であり、立体オブジェクトモデル５３０が口紅の形であり、立体オブジェクトモデル５４０が腕時計の形である。しかしながらこれらの形は、例として挙げただけでであって、本発明の実施例は、これに限られるものではない。
画像処理モジュール１１３は、素材動画４００を処理するために用いられるものであって、具体的に言うと、各々少なくとも１つの立体オブジェクトモデル５００を各素材動画４００のフレーム画面４１１の局部画面４１３上に重ねて合わせ（或いは埋め込み、插入）ることで、少なくとも１つの合成動画４３０を形成できる。ここで、図４は、埋め込んだフラグメント４１０ａのフレーム画面４１１’内のテーブル面画面中内にコップの形の立体オブジェクトモデル５１０を埋め込んだことを示す。また、同一素材動画４００（合成動画４３０）は、他の埋め込んだフラグメント４１０も含むことができ、例えば埋め込んだフラグメント４１０ｂ、４１０ｃ、４１０ｄに各々異なる立体オブジェクトモデル５００を埋め込むことができる。ここで、埋め込んだフラグメント４１０ｂに衣類の形の立体オブジェクトモデル５２０、埋め込んだフラグメント４１０ｃに口紅の形の立体オブジェクトモデル５３０、埋め込んだフラグメント４１０ｄに腕時計の形の立体オブジェクトモデル５４０を埋め込んだことを示す。ここで、立体オブジェクトモデル５００は、静止形態で埋め込んだフラグメント４１０に埋め込まれる。しかしながら、その他の実施例において、立体オブジェクトモデルは動的形態で埋め込んだフラグメント４１０に埋め込ませることもでき、言い換えると、同一埋め込んだフラグメント４１０における複数のフレーム画面４１１’内の同じ立体オブジェクトモデル５００は、異なる角度、寸法或いは位置に変換できることで移動、回転できる。
【００１０】
動画データベース１１１は、処理済みの合成動画４３０を保存できる。動画データベース１１１で保存する合成動画４３０は、全ての素材動画４００を各種立体オブジェクトモデル５００に埋め込む様々な組み合わせを含むことができる。言い換えると、同じ素材動画４００の同じ埋め込んだフラグメント４１０は、各種立体オブジェクトモデル５００に各々埋め込まれることで、複数の合成動画４３０を形成できる。こうすると、予め各種立体オブジェクトモデル５００と素材動画４００との組み合わせを動画データベース１１１に保存して今後某埋め込んだフラグメント４１０に某立体オブジェクトモデル５００を埋め込んだ合成動画４３０を直接選択し再生するために供することができ、リアルタイム画像処理を行う必要がないため、演算資源を追加するというニーズも避けることができる。
【００１１】
図５及び図６は、各々本発明の実施例１に係るコンピュータプログラム製品３００及び端末装置２００のブロック図である。コンピュータプログラム製品３００は、ネットワーク通信モジュール３１０とマルチメディア再生モジュール３２０とを含む。端末装置２００は、ネットワークインターフェース２１０と再生インターフェース２２０とを含む。ネットワーク通信モジュール３１０は、ネットワークインターフェース２１０を経由して動画サーバー１１０に接続でき、ネットワークインターフェース２１０が前記通信モジュールで実現できる。
ネットワーク通信モジュール３１０は、動画サーバー１１０と通信リンク（インターネット１１５を経由）を確立した後、動画サーバー１１０から動画データベース１１１に保存されている少なくとも１つの合成動画４３０を取得できる。少なくとも１つの合成動画４３０を取得した後、マルチメディア再生モジュール３２０が再生インターフェース２２０によって取得した合成動画４３０を再生する。マルチメディア再生モジュール３２０は、合成動画４３０を復号化して再生インターフェース２２０を通じて合成動画４３０の画面及び音声を再生できる。再生インターフェース２２０は、前記プロセッサ、スピーカ、スクリーン等のデバイスで実現できる。
【００１２】
上記オブジェクトの入れ替可能な動画再生システムは、ユーザーが端末装置２００を操作して視聴したい合成動画４３０を選択して再生するため、動画サーバー１１０により特定立体オブジェクトモデル５００を埋め込んだ合成動画４３０をコンピュータプログラム製品３００がローディングされた端末装置２００に提供できる。これら立体オブジェクトモデル５００は、プロダクトプレイスメント商品とすることができ、提携業者が変わった時、立体オブジェクトモデル５００を入れ替えるだけで、素材動画４００を繰り返し使うことができ、動画の再撮影の必要がなく、動画制作コストを節約できる。よって、異なる国のアプリケーションプログラムストアで出品又は異なる国で実行するコンピュータプログラム製品３００に対し、動画サーバー１１０が異なるプロダクトプレイスメント商品を埋め込んだ合成動画４３０を提供できる。
【００１３】
図７は、本発明の実施例２に係るオブジェクトの入れ替可能な動画再生システムの構成を示す模式図である。
前記実施例１に比べると、本実施例の動画再生システムは、会員管理サーバー１２０とショッピングサーバー１３０とを更に含む。若干の実施例において、動画再生システムは、ショッピングサーバー１３０を含まないことができ、動画再生システムの外付けショッピングサーバー１３０と組み合わせてコラボレーションする。動画サーバー１１０、会員管理サーバー１２０及びショッピングサーバー１３０は、インターネット１１５を通じて互いにリンクする。
若干の実施例において、動画サーバー１１０、会員管理サーバー１２０及びショッピングサーバー１３０のうちの二者以上が同一サーバー内に統合されることができ、その相互通信がインターネット１１５を経由せずにサーバー内部で伝送できる。別の若干の実施例において、動画サーバー１１０、会員管理サーバー１２０及びショッピングサーバー１３０のうちの二者以上が同一ローカルエリアネットワーク内に設けることができ、その相互通信がインターネット１１５を経由せずにローカルエリアネットワークのみを通じて伝送できる。
【００１４】
会員管理サーバー１２０は、会員管理機能を有し、ユーザーの登録、ログインのために提供でき、ユーザーが合成動画を視聴した記録、お気に入りの埋め込んだ商品（立体オブジェクトモデル５００）を記録でき、またショッピングサーバー１３０に購入記録（後記で説明）等を記録できる。
【００１５】
図８及び図９は、本発明の実施例２に係るコンピュータプログラム製品３００及び端末装置２００のブロック図である。前記実施例１に比べると、本実施例の端末装置２００は、マンマシンインターフェース２３０を更に含む。マンマシンインターフェース２３０は、前記スクリーン及びタッチモジュールを通じて実現できる。この外、前記実施例１に比べると、本実施例のコンピュータプログラム製品３００は、マンマシンインターフェースモジュール３３０とウェブページ閲覧モジュール３４０と値引き表示モジュール３５０とを更に含み、後記で更に各々説明する。
【００１６】
図１０は、本発明の実施例２の操作画面６１０を示す模式図（一）である。図８、図９、図１０を合わせて参照する。前記合成動画４３０の再生を終えた後、コンピュータプログラム製品３００のマンマシンインターフェースモジュール３３０は、マンマシンインターフェース２３０を通じて操作画面６１０を表示し、操作画面６１０が該合成動画内で表示する複数の立体オブジェクトモデル５１０、５２０、５３０、５４０に対応する複数のオブジェクトオプション７１０、７２０、７３０、７４０を有する。
ユーザーは、マンマシンインターフェース２３０を通じて興味を持つ立体オブジェクトモデル５００について対応のオブジェクトオプション７１０、７２０、７３０、７４０を選択できる。コンピュータプログラム製品３００のネットワーク通信モジュール３１０は、オブジェクトオプション７１０、７２０、７３０、７４０のトリガ（後記においてオブジェクトオプション７１０をトリガすることを例として説明）に応答してネットワークインターフェース２１０を経由して動画サーバー１１０に再生クエリを送信する。動画サーバー１１０は、再生クエリにより、トリガされたオブジェクトオプション７１０に対応する立体オブジェクトモデル５１０を有する合成動画４３０を端末装置２００に伝送する。前記合成動画４３０の伝送は、ファイル方式又はストリーム方式を用いることができる。端末装置２００が全部或いは一部の合成動画４３０を受信した後、コンピュータプログラム製品３００のマルチメディア再生モジュール３２０は再生インターフェース２２０を経由して取得した合成動画４３０を再生する。これを介して、ユーザーは好みによって特定立体オブジェクトモデル５００を有する合成動画４３０を選択して視聴できる。
【００１７】
図１０に示すように、操作画面６１０は、少なくとも１つの購買オプション（ここで、複数の購買オプション９１０、９２０、９３０、９４０を例にする）を更に含み、各購買オプション９１０、９２０、９３０、９４０が各々前記立体オブジェクトモデル５１０、５２０、５３０、５４０に対応し、オブジェクトオプション７１０、７２０、７３０、７４０と対応して配置する（ここで、オブジェクトオプション７１０、７２０、７３０、７４０下方に位置することを例にする）。コンピュータプログラム製品３００のネットワーク通信モジュール３１０は、購買オプション９１０、９２０、９３０、９４０のトリガ（ここで、ユーザーがマンマシンインターフェース２３０を通じてコップに対応する購買オプション９１０を選択することを例にする）に応答してネットワークインターフェース２１０を経由してショッピングサーバー１３０にリンクする。よって、ショッピングサーバー１３０は、ネットワークインターフェース２１０を経由してショッピングウェブページ（図示せず）をウェブページ閲覧モジュール３４０に提供できる。
ウェブページ閲覧モジュール３４０は、ウェブページ閲覧機能をサポートして再生インターフェース２２０を経由してショッピングウェブページを表示できる。ここで、ショッピングウェブページは、立体オブジェクトモデル７１０に対応する商品（ここでコップとする）を包括する。これを介して、ユーザーは、合成動画４３０内に表示する商品について直接操作画面６１０を通じて対応のショッピングウェブページにリンクして購買できる。
【００１８】
購買取引を終えた後、ショッピングサーバー１３０は、取引結果を会員管理サーバー１２０に伝送できる。会員管理サーバー１２０は、取引結果によって電子クーポンを端末装置２００に送信できる。会員管理サーバー１２０は、取引結果によって取引完了の有無を知ることができるため、会員管理サーバー１２０から送信された電子クーポンのタイプをショッピングウェブページの取引完了の有無と関連付けできる。言い換えると、取引完了の場合、電子クーポンは割引が比較的多い或いは使用制限が少ないものとすることができ、逆に、取引の未完了の場合、電子クーポンは割引が比較的少ない或いは使用制限が多いものである。
このほかに、取引結果にショッピングリストを記録できることで、管理サーバー１２０はショッピングリスト内の商品によってタイプに類似する電子クーポンを選択できる。また、会員管理サーバー１２０は、更にショッピングリストについて購買記録を作成して会員が後日調べるために供することができる。コンピュータプログラム製品３００の値引き表示モジュール３５０は、マンマシンインターフェース２３０を経由して前記電子クーポンを表示できる。これを介してユーザーが電子クーポンを商店店員に提示することで、再度消費時電子クーポンの値引きを受けることができる。デジタルメディアの視聴覚行為に現実消費行為を促進する効果を奏させることができる。ただし、本発明の実施例の電子クーポンは、実店舗での使用に限られるものではなく、ネットで消費する電子クーポンとすることもでき、更にデジタルプレゼントとすることができ、例えばスタンプ、ボーナスポイント等である。
若干の実施例において、電子クーポンは、例えば１次元、２次元又は３次元のバーコードの読込識別に供するフォーマットとすることができ、商店店員に適したリーダーを通じて電子クーポンを読み込ませることができる。
【００１９】
若干の実施例において、動画サーバー１１０は、端末装置２００の合成動画４３０に対する再生数量を記録でき、再生数量が閾値に達した時、電子クーポンを端末装置２００に送信する。これを介してプロダクトプレイスメント商品（つまり立体オブジェクトモデル５００）の露出量を増加するため、ユーザーに合成動画４３０を視聴するよう奨励できる。ここで、前記再生数量とは、同じ合成動画４３０の再生回数、全ての合成動画４３０の再生回数、或いは再生した合成動画４３０数量をいう。
【００２０】
図１１は、本発明の実施例２の操作画面６２０を示す模式図（二）である。図１０及び図１１を合わせて参照する。合成動画４３０の再生を終えた後、コンピュータプログラム製品３００のマンマシンインターフェースモジュール３３０はマンマシンインターフェース２３０を経由して操作画面６１０に表示できる。ユーザーは操作画面６１０上の１つのオブジェクトオプション（７１０）を選択した後、マンマシンインターフェースモジュール３３０がオブジェクトオプション７１０のトリガに応答して別の操作画面６２０を表示する。操作画面６２０は、複数の次の話の動画オプション８１０、８２０、８３０、８４０を有し、各次の話の動画オプション８１０、８２０、８３０、８４０が各々トリガされたオブジェクトオプション７１０に対応する立体オブジェクトモデル５１０を有する１つの合成動画４３０と関連する。つまり、ユーザーがマンマシンインターフェース２３０を通じてうちのいずれか次の話の動画オプション８１０を選択した後、動画サーバー１１０は対応の合成動画４３０を端末装置２００に伝送する。
前記対応の合成動画４３０は、選択した次の話の動画オプションの動画内容に対応する素材動画４００内に先ほどの操作画面６１０で対応して選択した立体オブジェクトモデル５１０を埋め込んだものである。ここで、操作画面６２０内で表示される複数の次の話の動画オプション８１０が内容の異なる合成動画４３０に対応する。これら合成動画４３０は、内容の異なる素材動画４００に基づくと共に少なくとも１つの同じ立体オブジェクトモデル５１０を埋め込むことで形成したものである。よって、ユーザーは、異なる次の話の動画オプション８１０を選択することによって、動画のストーリーが異なる方向に向かって進展させることで、ストーリーの進展方向を決定できる。且つ、同時に合成動画４３０内でお気に入りのプロダクトプレイスメント商品（立体オブジェクトモデル５１０）を見ることができる。
【００２１】
図１２は本発明の実施例２に係る動画サーバー１１０のブロック図である。実施例１との相違点は、本実施例の動画サーバー１１０は、パラメータデータベース１１４を更に含む点である。パラメータデータベース１１４は、各立体オブジェクトモデル５００の各素材動画４３０に対応する各埋め込んだフラグメント４１０の複数の重ね合わせパラメータを包括する。重ね合わせパラメータは、光や影の方向と放置位置と放置角度とサイズの拡大・縮小とを含む。重ね合わせパラメータの設定を通じて素材動画４３０を立体オブジェクトモデル５００に埋め込んだ後、より一層自然になる。
【００２２】
上記をまとめると、本発明の実施例のオブジェクトの入れ替可能な動画再生システムは、動画提供者と提携業者の提携により素材動画４００内に販売商品（立体オブジェクトモデル５００）を埋め込み或いは入れ替える利便さを提供できる。このほかに、ユーザーは合成動画４３０を視聴した後、操作画面６１０を経由して直接販売商品のショッピングウェブページにリンクでき、気を遣って正しい商品供給源を探す必要がなく、海賊版商品の購入を避けることができる。
次に、操作画面６１０、６２０を通じてユーザーに合成動画４３０のドラマ進展及びその中に埋め込んだ商品を自ら決定させることができ、動画を視聴するインタラクションと面白さを増加する。また、更に会員管理サーバー１２０を通じて条件を付けてユーザーに電子クーポンを提供し、合成動画４３０を視聴した際の熱中度或いは興味を持つ埋め込んだ商品によって、異なる電子クーポンを与えてデジタルメディアの視聴覚行為に現実消費行為を促進する効果を奏させることができる。
【符号の説明】
【００２３】
１１０  動画サーバー
１１１  動画データベース
１１２  オブジェクトデータベース
１１３  画像処理モジュール
１１４  パラメータデータベース
１１５  インターネット
１２０  会員管理サーバー
１３０  ショッピングサーバー
２００  端末装置
２１０  ネットワークインターフェース
２２０  再生インターフェース
２３０  マンマシンインターフェース
３００  コンピュータプログラム製品
３１０  ネットワーク通信モジュール
３２０  マルチメディア再生モジュール
３３０  マンマシンインターフェースモジュール
３４０  ウェブページ閲覧モジュール
３５０  値引き表示モジュール
４００  素材動画
４１０、４１０ａ、４１０ｂ、４１０ｃ、４１０ｄ  埋め込んだフラグメント
４１１、４１１’、４１２  フレーム画面
４１３  局部画面
４３０  合成動画
５００、５１０、５２０、５３０、５４０  立体オブジェクトモデル
６１０、６２０  操作画面
７１０、７２０、７３０、７４０  オブジェクトオプション
８００、８１０、８２０、８３０、８４０  次の話の動画オプション
９１０、９２０、９３０、９４０  購買オプション
【図１】
0006514255.tif 000002
【図２】
0006514255.tif 000003
【図３】
0006514255.tif 000004
【図４】
0006514255.tif 000005
【図５】
0006514255.tif 000006
【図６】
0006514255.tif 000007
【図７】
0006514255.tif 000008
【図８】
0006514255.tif 000009
【図９】
0006514255.tif 000010
【図１０】
0006514255.tif 000011
【図１１】
0006514255.tif 000012
【図１２】
0006514255.tif 000013